(57)【特許請求の範囲】
【請求項１】
ドア錠を施解錠する作動位置と施解錠不能なロック位置に操作される錠装置を取り付けるベース部材であって、
扉に設けたドア錠のシリンダー錠設置用孔に挿入可能に形成され前記ドア錠に連結される小径部と、
前記小径部から筒状に形成され先端が前記錠装置の一部に挿入される大径部を有し、
前記小径部は前記錠装置に設けた凸部が嵌合する凹部を有し、
前記錠装置には側面から半径方向に出没可能に突出する着脱突起が設けられており、前
記大径部には該着脱突起が嵌合する係合溝と、
前記係合溝を貫通し前記着脱突起に対応する取外し孔が形成され、
前記錠装置がロック位置にあるとき前記着脱突起は没入不能に保持され、
前記錠装置が作動位置にあるとき前記着脱突起を没入させて錠装置を脱着可能にしたベース部材。
【請求項２】
前記大径部には前記係合溝が複数設けられている請求項１に記載のベース部材。
【請求項３】
上記請求項１又は２に記載のベース部材に取付けられる錠装置であって、
筒状の本体と、
前記本体の後端から回転可能に突出しているドライバーと、
前記ドライバーを中心に対向状態に設けられ、ベース部材に設けた凹部に嵌合する凸部
と、
前記ドライバーをロック位置で回転不能に保持し、作動位置で回転可能に保持する施解
錠機構を具備し、
前記本体の側面には、半径方向に出没可能に突出し前記ベース部材に形成した係合溝に
嵌合する着脱突起が設けられており、
前記本体内には施解錠機構がロック位置にあるとき前記着脱突起を没入不能な状態に保
持する係止機構を有することを特徴とする錠装置。
【請求項４】
前記施解錠機構は、
前記本体の外周に回転自在に設けられたサムターンリングと、
前記本体内に設けられ前記サムターンリングの回転をドア錠のデッドボルトに連動可能なテールギアに伝達若しくは非伝達する回転断続機構を有し、
前記回転断続機構は、モーターと、
前記テールギアと係合可能なコネクティングギアと、
前記コネクティングギアを前記テールギアとの係合位置若しくは非係合位置に移動可能なスクリューシャフトと、
適正な情報を受信したとき前記モーターを操作する制御回路と、
前記制御回路を駆動させるバッテリーを含み、
前記係止機構は、前記コネクティングギアが前記テールギアとの非係合位置に移動したときに前記着脱突起と当接可能な前記スクリューシャフトの大径部と、前記コネクティングギアが前記テールギアとの係合位置に移動したときに着脱突起と間隙を存して対向可能な前記スクリューシャフトの小径部により構成され、
前記モーターの駆動により、前記コネクティングギアを前記テールギアとの係合位置に移動させ、前記サムターンリングの回転を前記テールギアに伝達しテールギアの回転により前記デッドボルトを操作する作動位置にし、作動位置のときに着脱突起を前記ベース部材の係合溝から外れるまで没入することができることを特徴とする請求項３に記載の錠装置。
【発明の詳細な説明】
【技術分野】
【０００１】
本発明は、全く新規な装置として提案された錠装置のベース部材であり、更に詳細には、該ベース部材を用いて錠の種類を容易に変更可能な錠装置に関するものである。
【背景技術】
【０００２】
従来から、ドア錠としてシリンダー錠は用いられているが、ピッキングにより解錠され易いことが問題となっていた。
【０００３】
そして、ピッキング対策として、ヴィングカード（ｖｉｎｇｃａｒｄ：ヴィングカードは登録商標）のような、キーカード及びコードカードを用いるカード式錠が開発されている。このようなカード式錠装置について簡単に説明すると、キーカードを用いて施解錠するものであり、キーカードが挿入されていないときは複数の長孔に挿入した施錠ピンにより、錠内に格納された作動体の移動がロックされている。キーカードが、錠装置内に挿入されているコードカードに対応する適正なものであると、施錠ピンが、ボールやスプリングを介して移動し、作動体を移動可能な状態にする。そして、キーカードをさらに押し込むと、作動体は停止位置から操作可能な位置に移動し、解錠することができる。操作位置から、キーカードをもとの方向に引き戻すと、作動体も停止位置に戻り、キーカードを引くと、施錠ピンにより作動体は、ロックされる。
【０００４】
さらに出願人は、マンションやアパート等の増加による住宅環境の多様化に伴い、集合住宅の管理者の利便性を向上させるため、特許文献１に記載のカード式錠装置を提供した。特許文献１に記載のカード錠装置は、ケース内にカード式錠本体とシリンダー錠本体の２つの錠本体を装着し、これらを関連して作動させ、主として一方のカード式錠本体を入居者用として、他方のシリンダー錠本体を管理者用として用いるものであり、集合住宅において、カード式錠装置を使用させ、管理者がシリンダー錠本体を使用することによってシリンダー錠本体をマスターキー状態で使用することができ、管理者がドア毎に多数のキーを管理することがないので管理がし易く、かつ経済的である。
【０００５】
さらにまた、出願人は、使用者の使用態様を考慮して、特許文献２に記載のカード式錠を提供した。特許文献２に記載のカード式錠装置は、固定される外ケ−ス内に回転可能に内ケ−スを設け、この内ケ−ス内に作動体を有するカ−ド式錠本体を装着し、カ−ド式錠本体にキ−カ−ドを差し込み、カ−ド式錠本体の作動体を移動して内ケ−スを回転可能とし、内ケ−スをカ−ド式錠本体と共に施錠位置及び解錠位置へ回転移動させることによって、内ケ−スに連結したデッドボルト等の掛金を施錠、解錠するようにしたものであり、マンション、アパ−ト等の共同住宅において、コ−ドカ−ドの交換が容易であると共に管理がし易い。
【０００６】
このように、住宅環境や家族構成や生活態様の多様化に応じて、使用者の利便性向上のために、従来からある錠の改良が行われるとともに、専用のＩＣカード等を用いて施解する電子式、及び暗証番号式等の様々なものが開発されている。
【先行技術文献】
【特許文献】
【０００７】
【特許文献１】特開２００４−０７６３７５号公報（段落００１１）
【特許文献２】特開２００３−３０７０５８号公報（段落０００９）
【発明の概要】
【発明が解決しようとする課題】
【０００８】
ところで、住宅環境や家族構成や生活態様の多様化や、部屋を使用する目的の変化により、使用に適した錠が変わることが考えられる。
【０００９】
例えば、カード式錠は、シリンダー錠のようにピッキングによる被害を受ける虞はないが、側面に挿入口があるものの場合や、挿入口の位置によっては、まだ身長の低い子供の場合には、使用しにくいことがあるので、特に小さい子供のいる家族では選択しにくい場合がある。
【００１０】
また、電気式錠は、鍵穴がないので、ピッキングによる被害を防止でき防犯レベルをあげることができるが、電池切れや停電で駆動機構に電力が供給されない場合や、錠内に雨水が侵入して錠が作動しない場合に、対処するのが困難である。
【００１１】
さらに、暗証番号式の錠は、鍵やカードを必要とせず、紛失したり盗まれたりした鍵等により解錠されるおそれはないが、暗証番号を忘れたり、他人に暗証番号を見られたりするおそれがあり心配である。
【００１２】
このように、各錠の形式について、メリット、デメリットがあり、家族構成や、生活態様や、目的とする防犯レベルの変化に応じて、適宜選択的に使用されているが、これらの錠はそれぞれドア錠に組み合わせて設けられているので、交換する場合には、扉を開けて、扉に設けられていたドア錠を分解して組み込む必要があり、容易に交換することができなかった。
【００１３】
今後、更に家族構成や生活態様の多様化により、錠の種類を変更する必要性が増加することが想定されることを鑑みれば、使用者や管理者が簡単に交換できるものが望まれている。
【００１４】
本発明の解決課題は、居住者や集合住宅の管理人により、錠の形式を容易に変更できるようにしたベース部材及びそれを用いた錠装置を提供することである。
【課題を解決するための手段】
【００１５】
すなわち本発明は、ドア錠を施解錠する作動位置と施解錠不能なロック位置に操作される錠装置を取り付けるベース部材であって、扉に設けたドア錠のシリンダー錠設置用孔に挿入可能に形成され前記ドア錠に連結される小径部と、前記小径部から筒状に形成され先端が前記錠装置の一部に挿入される大径部を有し、前記小径部は前記錠装置に設けた凸部が嵌合する凹部を有し、前記錠装置には側面から半径方向に出没可能に突出する着脱突起が設けられており、前記大径部には該着脱突起が嵌合する係合溝と、前記係合溝を貫通し前記着脱突起に対応する取外し孔が形成され、前記錠装置がロック位置にあるとき前記着脱突起は没入不能に保持され、前記錠装置が作動位置にあるとき前記着脱突起を没入させて錠装置を脱着可能にしたベース部材である。
【００１６】
また本発明は、ベース部材に取付けられる錠装置であって、筒状の本体と、前記本体の後端から回転可能に突出しているドライバーと、前記ドライバーを中心に対向状態に設けられ、ベース部材に設けた凹部に嵌合する凸部と、前記ドライバーをロック位置で回転不能に保持し、作動位置で回転可能に保持する施解錠機構を具備し、前記本体の側面には、半径方向に出没可能に突出し前記ベース部材に形成した係合溝に嵌合する着脱突起が設けられており、前記本体内には施解錠機構がロック位置にあるとき前記着脱突起を没入不能な状態に保持する係止機構を有することを特徴とする錠装置である。
【発明の効果】
【００１７】
本発明のベース部材及び錠装置は、上記の構成により、ベース部材を既存のドア錠に備えられている従来のシリンダー錠に取替えて固定した後は、適宜の機能を有する錠装置を作動位置に操作した状態で、扉を開けないで脱着することができ、室内にいる住居者に影響を与えずに交換可能であり、住居者がいなくても交換できる。
【００１８】
また錠装置は、シリンダー式（シリンダー錠）、電気式、磁気式及び暗証番号式等の様々な様式のものであっても、作動位置及びロック位置に操作できるものであれば相互に着脱することができ、それらの着脱方法が統一されているので、相互の交換を容易にすることができる。
【図面の簡単な説明】
【００１９】
【図１】本発明のベース部材及び錠装置の一実施例を示す使用状態の斜視図である。
【図２】図１に示す実施例の分解斜視図である。
【図３】図１に示す本発明のベース部材の拡大斜視図である。
【図４】図１に示す本発明の錠装置の拡大斜視図である。
【図５】施解錠機構の一実施例を示す説明図である。
【図６】図５に示す実施例におけるコネクティングギアがテールギアにかみ合う位置に移動した状態の断面図である。
【図７】コネクティングギアがテールギアにかみ合う位置に移動し、着脱突起が没入可能な状態を示す説明図である。
【図８】コネクティングギアがテールギアにかみ合っていない位置に移動した状態の断面図である。
【図９】コネクティングギアがテールギアにかみ合っていない位置に移動し、着脱突起が没入不能な状態を示す説明図である。
【図１０】コネクティングギアの歯先がテールギアに当っている状態の一部の拡大断面図である。
【図１１】本発明の他の実施例を示す説明図である。
【図１２】本発明の更に他の実施例を示す断面図である。
【図１３】図１２に示す実施例のＡ−Ａ線断面図である。
【図１４】図１２に示す実施例のジョイントカムを示す正面図である。
【図１５】図１２に示す実施例のスライドスリーブを示す断面図である。
【発明を実施するための形態】
【００２０】
本発明のベース部材６０は、図１、図２に示すように、ドア錠９１が取り付けられた扉９０に固定されて使用されるものであり、錠装置１は固定されたベース部材６０に着脱自在に取付けられ、ドア錠９１に組み合わせて使用されるものである。ドア錠９１は、公知のようにハンドル９６で操作されるラッチ９２、室内側に設けたサムターン９７に連絡するデッドボルト９３を有している。本願明細書及び特許請求の範囲において、サムターン９７に対向する扉の室外方向を「前方」、「前部」とし、室内方向を「後方」、「後部」とする。
【００２１】
ベース部材６０は、扉９０の室外側に設けられたシリンダー錠設置用孔９５に固定され、錠装置１は、後方の一部がベース部材６０に着脱可能に挿入され、図４に示すように、錠装置１の側面から半径方向に出没可能に突出している板状の着脱突起１７をベース部材６０に係合することにより、扉９０に着脱可能に取付けられるものである。錠装置１の後端には、錠装置１が作動位置にあるとき操作されるドライバー１８が回転自在に突出しており、ドライバー１８は、錠装置１がベース部材６０に固定された状態において、デッドボルト９３等の移動を制御するドア錠の機構と係合可能に設けられている。
【００２２】
上記ベース部材６０は、図３に示すように、前方に大径部６１と、後方に大径部６１より小径の小径部６５とを有している。大径部６１の後方端部には、図２に示すように、化粧リング６９がねじ着される。小径部６５の外径は、扉９０に設けられているシリンダー錠設置用孔９５に挿入できる外径、通常は４４ｍｍに形成されている。小径部６５の側面には、ドア錠９１から差し込んだ固定ピン９４を挿入するための差込孔６５１が形成されている。これにより、差込孔６５１に固定ピン９４を挿入することにより、ベース部材６０をドア錠９１に固定でき、固定ピン９４を抜き取ると、ベース部材６０をドア錠９１から取り外すことができる。なお、ベース部材６０をドア錠９１に着脱可能に固定するには、上記の方式以外に適宜の方式を用いることができる。
【００２３】
大径部６１の前端は、ベース部材６０に錠装置１を取付けたとき、錠装置１内に挿入されるように形成されている。これにより、ベース部材６０と錠装置１との間に、外部から破壊具を差し込めるような隙間が生じないようにしている。
【００２４】
ベース部材６０の内面には、図３に示すように、錠装置１の後方から中程までを収納する本体収容部６２と、上記ドライバー１８が挿通する連結孔６６が形成されている。本体収容部６２には、錠装置１が嵌合し、その壁面には係合溝６２１が形成されている。係合溝６２１は、上記錠装置に設けた着脱突起１７が嵌合可能な形状になっている。係合溝６２１は、錠装置１を取付ける角度を選択できるように、複数形成するのが好ましい。
【００２５】
上記係合溝６２１には、係合溝６２１に嵌合した着脱突起１７を、外部から押して半径方向に没入させるためのピン（図示略）等を差し込むことができるよう取外し孔６１１を開口させてある。
【００２６】
連結孔６６の周囲には段部６４が形成され、該段部６４には錠装置１の後端に設けた凸部１５を挿入する凹部６４１が設けられている。なお、錠装置１に固定用の突起（図示略）が設けられている場合には、それを挿入するための小凹部６４２を形成するとよい。凸部１５を凹部６４１に嵌めることにより、本体１０の回転が防止され、扉９０から表出した部分を掴んで過大な力で捩じることによる錠装置１のもぎ取り破壊を阻止できる。
【００２７】
次に、錠装置１について説明する。錠装置１は、図４に示すように、筒状の本体１０を有し、本体１０の後方側は、錠装置１をベース部材６０に取付けたとき、上記大径部６１に覆われる。本体１０のベース部材６０の大径部６１に覆われる状態になる側面には、着脱突起１７を表出させるための突出口１１１が形成されている。
【００２８】
本体１０の後方端部には、ドライバー１８を錠装置１の後方端から突出させるための穴１１２が、ドライバー１８が回転可能な径で形成されている。また、穴１１２の周辺に、凹部６４１に挿入される２つの凸部１５が形成されている。
【００２９】
錠装置１の外径は、シリンダー錠設置用孔９５や従来のシリンダー錠と略同径にすることが好ましく、具体的には、既存の扉９０に設けられているシリンダー錠設置用孔９５と略同じの４４ｍｍに形成してあるが、所望の直径や外径に形成することができる。錠装置１の外径をシリンダー錠設置用孔９５と略同じにすることにより、ハンドル９６の位置やシリンダー錠の位置、かまち幅その他の態様の異なる様々な扉９０であっても、支障なくベース部材６０と着脱させることができる。
【００３０】
錠装置１は、ドア錠を施解錠する作動位置と、施解錠不能なロック位置に操作される施解錠機構と、上記着脱突起１７と、施解錠機構がロック位置にあるとき該着脱突起を没入不能に保持する係止機構を有している。着脱突起１７は、外側面が係合溝６２１に嵌るように円弧状に形成され、ストッパー軸１７１に回転可能に取付けられ、着脱スプリング１７２により、外側に付勢されている（図７、図９参照）。施解錠機構は、錠装置１をベース部材６０に組み込んだときに作動位置でドア錠を施解錠する機能を有し、係止機構は、施錠時に着脱突起１７の内側面に当接して、着脱突起１７が半径方向に押されても内方に没入するのを防止する機能を有する。
【００３１】
図５、図６は、施解錠機構の実施例として電子式の錠装置１の要部を示し、上記本体１０の前方外周には、図５に示すような、内歯車５１を設けたサムターンリング５０が、回動可能に組み込まれている。上記サムターンリング５０は、円筒状であり、上記本体１０の一部外周を覆い隠すことができる程度の長さに形成されている。サムターンリング５０の内面には、図６に示すように、半径方向に向かって内方に伸びる前方突起５２が形成され、前方に位置する本体１０に当接することによりサムターンリング５０を抜け止めしている。上記内歯車５１は、前方突起５２より後方の内面に形成されている。内歯車５１の後方に形成した段部５３と上記本体１０に設けた本体収納部１１の突起１１４の間にはリングワッシャ５４が嵌着されている。これにより、サムターンリング５０を安定して回動させることができ、本体１０とサムターンリング５０との間で、ベース部材６０の先端側の一部を差し込むことができる環状の固定溝１６（図４参照）が形成されている。
【００３２】
本体１０内には、前端にサムターンリング５０と係合する連結ギア３１を有し後方の軸部にテールギア１９にかみ合い可能なコネクティングギア２６を軸方向に移動可能かつ回転不能に挿入した連結軸３０が回転可能に設けられている。テールギア１９は、本体１０内に回転可能に収納され、後部に上記ドライバー１８が嵌合されている。なお、上記コネクティングギア２６を回り止め状態で軸方向に移動可能に保持するため、コネクティングギア２６が嵌合する連結軸３０の一部は、円柱状の側面に平面部３２を設けて異形断面に形成してあるが、コネクティングギア２６が挿入される部分を角軸に形成してもよい。
【００３３】
連結軸３０の前端は本体１０に枢支され、後端は本体１０の後端端部に設けられた上記凸部１５に枢支されている。凸部１５内には、コネクティングギア２６が軸方向に相対的に移動する運動を許容する空間が形成されている。コネクティングギア２６は、テールギア１９に係合する位置若しくは非係合する位置に回転断続機構により移動される。
【００３４】
上記回転断続機構としては、適宜のクラッチ機構等を用いて種々の構成にすることができるが、本実施例では、モーター等のアクチュエーターを利用した機構を用いている。すなわち実施例においては、モーターギア４１を有するモーター４０と、モーターギア４１により回転されるギア付きスクリューリング２１と、ギア付きスクリューリング２１により軸方向に移動されるスクリューシャフト２２を含み、該スクリューシャフト２２が軸方向に移動すると、上記コネクティングギア２６も移動する。これらギア付きスクリューリング２１、スクリューシャフト２２は、上記連結軸３０が自由に回転できるよう筒状に形成されている。また、上記モーター４０を正転、逆転させるよう制御回路１２３及びバッテリー７０が設けられている。
【００３５】
この制御回路１２３は、適正な信号を受信したときモーター４０を操作するよう構成されている。この信号としては、ＩＣカード、スマートフォン等の電子情報媒体に記録された認証コード等の電子情報や、指紋、虹彩、声紋、網膜、静脈、遺伝子、顔輪郭など、使用者のバイオメトリクス情報による個人認識情報、テンキーによる入力情報その他適宜選択することができる。受信方法としては、無線による非接触通信や有線回線を適宜選択できる。図に示す実施例では、Ｂｌｕｅｔｏｏｔｈ（登録商標）通信を用いているが、ＮＦＣ（Ｎｅａｒ  Ｆｉｅｌｄ  Ｃｏｍｍｕｎｉｃａｔｉｏｎ）通信、その他の無線通信や赤外線通信等の非接触通信により操作することもできる。
【００３６】
バッテリー７０は、錠装置１を駆動できるものであればよく、例えば、ＣＲ−１２３Ａのような筒状の電池を好適に用いることができる。この電池は、本体収納部１１内で本体１０の長手方向に沿って設けられた空間に、収納されている（図６参照）。
【００３７】
ギア付きスクリューリング２１は、内面に雌螺子部２１１を形成し、外周に、上記モーターギア４１に係合する歯車部２１２が形成されている（図６参照）。図６に示すギア付きスクリューリング２１は、雌螺子部２１１と歯車部２１２を円筒状に一体に成形しているが、別体に作ってから組合せて固定してもよい。
【００３８】
上記スクリューシャフト２２は、ギア付きスクリューリング２１の雌螺子部２１１にねじ係合する雄螺子部２２１を先端外周に有し、ギア付きスクリューリング２１が回動すると、雄螺子部２２１と雌螺子部２１１のねじ係合により前方に移動したり、後方に移動したりする（図６、図８、図１０参照）。上記着脱突起１７は、上記スクリューシャフト２２に隣接して設けられている。そして、雄螺子部２２１より後方に、スクリューシャフト２２が前方に移動したときに上記着脱突起１７と当接可能な大径部２６３と、スクリューシャフト２２が後方に移動したときに上記着脱突起１７と対向可能な小径部２６４を有している。図７、図９に示すように、上記大径部２６３と小径部２６４は、大径部２６３が上記着脱突起１７に当接すると本体１０内に没入不能になり、小径部２６４に対向すると着脱突起１７が本体１０内に没入可能になるように大径部２６３と小径部２６４の直径が定められている。本実施例では、この小径部２６４と大径部２６３により、係止機構が形成されている。
【００３９】
このスクリューシャフト２２の外周面には、本体１０に設けた回り止め突起（図示略）とこれに係合する溝（図示略）により回転不能状態で軸方向に移動可能に支持されている。また、スクリューシャフト２２の外周面には、マグネット２２４を設けてあり、センサー１１５により、所定の位置まで移動したことを検知できるようにしてある（図５参照）。
【００４０】
図１０を参照し、スクリューシャフト２２の後端には、図５に示すように、連結軸３０の後端に設けた上記コネクティングギア２６が挿入され、抜け止め用の止め輪２３を嵌めるための嵌め溝２２３が形成されている。また、上記スクリューシャフト２２の内周面の前方には、スライドワッシャ２４が回転可能に配置され、スライドワッシャ２４とコネクティングギア２６のフランジ２６１の間には、スクリューシャフト２２とコネクティングギア２６を離反する方向に付勢するようカウンタースプリング２５が介装されている。
【００４１】
上記構成により、スクリューシャフト２２が後退すると、カウンタースプリング２５が圧縮され、このカウンタースプリング２５の圧縮力により、コネクティングギア２６は後方に移動して、テールギア１９にかみ合う（図６参照）。そして、この状態では、図７に示すように、スクリューシャフト２２の小径部２６４が上記着脱突起１７に間隙を存して対向する位置に移動しているので、着脱突起１７を上記係合溝６２１から外れるまで没入することができる。
【００４２】
この状態から、スクリューシャフト２２を逆回転させると、スクリューシャフト２２が前方に移動するのに伴い、フランジ２６１と止め輪２３を介してコネクティングギア２６はテールギア１９から外れて非係合の位置に移動する（図８参照）。そして、この状態では、図９に示すように、大径部２６３が着脱突起１７に対向する位置に移動しているので、着脱突起１７を没入不能な状態になる。
【００４３】
また、図１０に示すように、コネクティングギア２６が後方に移動する際、その歯先がテールギア１９の歯先に当接して移動が停止しても、スクリューシャフト２２は、上述のように移動しているから、スクリューシャフト２２のみが所定の位置まで後退する。その結果、コネクティングギア２６は後方に付勢された状態になっているから、このような状態でサムターンリング５０を回転してコネクティングギア２６を微動させると、コネクティングギア２６とテールギア１９をかみ合わせることができる。
【００４４】
なお、コネクティングギア２６とテールギア１９が円滑に係合できるように、コネクティングギア２６の後端外周面に後端傾斜面２６２を形成し、テールギア１９の前端外周面に前端傾斜面１９１が形成してある。この後端傾斜面２６２と前端傾斜面１９１の角度は、適宜設けることができるが、好ましくは図１０に示すように、約１５度程度で設けられている。
【００４５】
ギア付きスクリューリング２１とモーターギア４１は、ギアボックス１４内に収納して本体１０にセットされる。制御回路１２３とバッテリー７０の正極端子と当接するプラス端子１２２は、板状のメイン基板１２１に設置されている。
【００４６】
本体１０は、施解錠機構、モーター４０、バッテリー７０等を収納する本体収納部１１と、制御回路１２３を設けたメイン基板１２１を収納する基板収納部１２と、収納蓋部１３により構成されている。
【００４７】
収納蓋部１３は、円盤状であり、後面に設置されたＵＳＢ基板１３２に外部から接続可能にするため、後面から前面に貫通しているＵＳＢ接続端子表出用口１３１が形成されている。収納蓋部１３の外径は、サムターンリング５０の前方端部が収納蓋部１３の後面に当接するようにするため、サムターンリング５０の外径と略等しいか、僅かに大きくなっている。ＵＳＢ基板１３２は、制御回路１２３に繋がっている。
【００４８】
収納蓋部１３は、前面に環状のフロントカバー１３４と、その中心にプラグカバー１３３が取付けられている（図６参照）。プラグカバー１３３は、ＵＳＢ接続端子表出用口１３１を覆う蓋部を有しているので、必要な時以外にＵＳＢ基板１３２が露出しないようにできる。また、フロントカバー１３４により、本体１０に衝撃が与えられた際に、その衝撃を緩和できる。
【００４９】
このように、施解錠機構が電子式の錠装置１の場合には、モーター４０や電子制御回路及びそれらを駆動させるためのバッテリー７０を収納する必要があるが、上記構造に形成されていることにより、他の様式の錠装置と同様に、外径をシリンダー錠設置用孔９５や従来のシリンダー錠と略同径にすることができる。これにより、ハンドル９６の位置やシリンダー錠の位置、かまち幅その他の態様の異なる様々な扉９０であっても、電子式の錠装置１を、他の様々な形式の錠装置１と同様に取付けることができ、相互に交換することができる。
【００５０】
本発明の錠装置１及びベース部材６０の使用状態について説明する。スマートフォン等のＢｌｕｅｔｏｏｔｈ通信機器からの電子情報を、制御回路１２３が識別情報を受信すると、モーター４０が回転し、ギア付きスクリューリング２１を介してスクリューシャフト２２が回転する。この回転により、コネクティングギア２６は、テールギア１９との係合位置に移動し、施解錠機構は作動位置になる。そして、サムターンリング５０が回動することにより、連結軸３０、コネクティングギア２６を介しテールギア１９に回転を伝達させることが可能になる。
【００５１】
そして、手動でサムターンリング５０を回転すれば、テールギア１９を回転し、ドライバー１８を介し、解錠することができる。また、逆方向に回転すれば、施錠することができる。また、この状態でスクリューシャフト２２のマグネット２２４は、センサー１１５に検知されることで操作可能状態であると認識され、新たな認証コード等の電子情報を登録できる。
【００５２】
モーター４０の駆動は、所定時間経過後、コネクティングギア２６を非係合位置に移動させるように回転してから停止するよう制御されているから、施解錠機構はロック位置になりその後はサムターンリング５０を回転してもテールギア１９を回転させることができなくなり、外側からの解錠は不可能になる。また普段は、コネクティングギア２６とテールギア１９がかみ合った状態になっていないので、仮に錠装置１が破壊された場合でも、部屋の内側からサムターン９７を回して解錠して出ることができる。
【００５３】
次に、本発明の錠装置１のベース部材への着脱方法について説明する。施解錠機構がロック位置にあるときには、上記したように錠装置１の着脱突起１７がスクリューシャフト２２の大径部２６３に当接して本体１０内に没入しないので、まず、作動位置の状態にする。この状態になると、スクリューシャフト２２は、着脱突起１７が小径部２６４と当接できる位置まで後方に移動している。そのため、着脱突起１７を本体１０内に押し込みつつ、ベース部材６０に挿入する。着脱突起１７は、外方に付勢されているので、係合溝６２１と容易に係合させることができる。このようにして錠装置１が取り付けられると、錠装置１の基端から回転可能に突出しているドライバー１８が、デッドボルト等を操作する連動部材と係合する。
【００５４】
錠装置１を取外すときは、通常の使用状態と同様の方法で作動位置にして、スクリューシャフト２２を後方に移動させて、着脱突起１７と小径部２６４が当接できるようにする。その状態で、取外し孔６１１にピンを挿入し、着脱突起１７を本体１０内に没入させて、錠装置１を前方に移動させれば、錠装置１をベース部材６０から分離できる。
【００５５】
上記のように、錠装置１は、普段使用している鍵で操作可能状態にすれば、ベース部材６０に取付けることができるように構成されている。そのため、錠装置１を脱着可能な状態にする専用の鍵を必要としないから、様々な様式の錠装置１ごとに専用の鍵を設ける必要がなく、錠装置１の種類に応じて、その専用の鍵の種類が多くなったり、特に集合住宅等では、鍵の管理が煩雑になるという問題が生じない。
【００５６】
また、単に錠装置１をベース部材６０に着脱できる構造になっていると、使用者以外の第三者に交換されるおそれがあり、その第三者に交換されると、使用者はその錠装置１が使用不能になるとともに、取付けた錠装置を取り外すこともできなくなる虞があるが、そのようなことを防止することができる。
【００５７】
施解錠機構は、図５〜１０に示す実施例では、電気式であるが、錠の種類としてシリンダー式（シリンダー錠）、カード式、磁気式及び暗証番号式錠等様々なものを用いることができる。
【００５８】
上記実施例では、作動位置とロック位置で軸方向に移動するスクリューシャフトを有する錠装置を示してあるが、他の錠装置を使用することができる。例えば、作動位置とロック位置の間で作動体を回転してドライバーを駆動する場合には、図１１のようにすればよい。
【００５９】
図１１に示す錠装置の施解錠機構では、本体１０Ａ内に回転可能に収納した作動体１１７を有し、該作動体１１７の後端にドライバー（図示略）が連結されている。施解錠機構は、作動位置にあるとき、作動体１１７及びドライバーを介して、ドア錠を施解錠でき、ロック位置にあるとき作動体１１７は回転不能に保持されている。上記作動体１１７に隣接して着脱突起１７Ａが配置されている。上記作動体１１７は、本体１０Ａの内面に摺接する突面１１８と、内面との間に間隙を生じる平面１１９を有している。そのため、図１１に示すように、施解錠機構がロック位置にあるときは、着脱突起１７Ａの突面１１８が作動体１１７に当接し、没入させることはできないが、施解錠機構が作動位置にあるときは、作動体１１７の平面１１９に当接するまで、着脱突起１７Ａを没入させ、ベース部材から錠装置を着脱させることができる。
【００６０】
また、ドライバーを直接回転することにより作動位置及びロック位置に操作する錠装置の場合には、一例として図１２に示すように構成することができる。図１２は、シリンダー式の錠装置１Ｂに適用した実施例を示すものである。この錠装置１Ｂは、本体１０Ｂにベース部材６０の大径部６１の前端を差し込むことができる環状の固定溝１６Ｂが形成されている。本体１０Ｂ内に、施解錠機構としてドライバー１８Ｂに連結され鍵により回転若しくは非回転される内筒８０が設けられている。
【００６１】
本体１０内には、着脱突起１７Ｂが設けられている。着脱突起１７Ｂは、図１３に示すように、内筒８０に隣接する収容部１１３内に収容され、該収容部１１３には突出口１１１Ｂと、後記するストッパーピン２７が出没可能にする開口１４１が形成され、着脱突起１７Ｂは、係合溝６２１から外れるまで内方に没入することができる（図１３参照）。
【００６２】
係止機構として、錠装置１Ｂ内に、ドライバー１８Ｂに回り止めされた状態で、回転可能かつ軸方向に移動不能に収納されている円筒状のジョイントカム２９と、ジョイントカム２９の回転により前後方向に移動する筒状のスライドスリーブ２８と、スライドスリーブ２８に移動可能な状態で挿入され着脱突起１７Ｂと対向するストッパーピン２７と（図１３参照）、ストッパースプリング２８３を有し、ストッパーピン２７の前端は上述したように開口１４１から突出可能である。
【００６３】
ジョイントカム２９の側面には、図１４に示すように、後記するスライドスリーブ２８の突起２８１が摺動可能な制動溝２９１が形成されている。制動溝２９１は、前後方向に曲線状になっている。制動溝２９１の前方側の頂部である前方頂部２９２と後方側の頂部である後方頂部２９３の幅は、後記するスライドスリーブ２８が作動位置からロック位置（又はロック位置から作動位置）に移動する距離と略等しく、前方頂部２９２と後方頂部２９３の間隔は、解錠時の鍵の回転角度と略等しくなっている。
【００６４】
スライドスリーブ２８は、図１５に示すように、後端側の側面の一部に、ジョイントカム２９の制動溝２９１に挿入される突起２８１を有している。突起２８１は、ジョイントカム２９の回転を阻害しない程度の太さで形成されている。スライドスリーブ２８の内周面は、ストッパーピン２７が軸方向に移動可能に形成されている。
【００６５】
ストッパーピン２７は、収容部１１３内に突出し、着脱突起１７Ｂと対向する当接部２７１と（図１３参照）、当接部２７１よりも小径の柱部２７３を有し、当接部２７１と柱部２７３は段部２７２を介して繋がっている（図１２参照）。柱部２７３の後方側は、ストッパーピン２７がスライドスリーブ２８の後方側から突出した状態で、止め輪２７５により抜け止めされている。
【００６６】
ストッパースプリング２８３は、一端がスライドスリーブ２８内の段部２８２に当接し、他端がストッパーピン２７の段部２７２に当接して、ストッパーピン２７とスライドスリーブ２８を離反方向に付勢している。上記実施例とほぼ同様に錠装置１Ｂの後端に形成した凸部１５Ｂ内には、スライドスリーブ２８やストッパーピン２７の移動を許容する空間が形成されている。
【００６７】
このような構成により、錠装置１Ｂを作動位置にすると、ドライバー１８Ｂの回転に連動してジョイントカム２９が回転し、スライドスリーブ２８の突起２８１が制動溝２９１の側面を後方頂部２９３まで摺動する結果となり、スライドスリーブ２８が後方に移動する。そしてスライドスリーブ２８の移動に伴い止め輪２７５を介してストッパーピン２７も後方に移動する結果、着脱突起１７Ｂはストッパーピン２７の当接部２７１と対向しなくなる。これにより、着脱突起１７Ｂが内方に没入可能になる。
【００６８】
この状態から、錠装置１Ｂをロック位置にすると、ジョイントカム２９が逆回転し、スライドスリーブ２８の突起２８１が制動溝２９１の側面を前方頂部２９２まで摺動する結果となり、スライドスリーブ２８が前方に移動する。スクリューシャフト２２が前方に移動するのに伴い、ストッパーピン２７も前方に移動し、当接部２７１が着脱突起１７Ｂと対向する。それにより、着脱突起１７Ｂを没入不能な状態になる。
【符号の説明】
【００６９】
１：錠装置
１０：本体
１５：凸部
１７：着脱突起
１８：ドライバー
１９：テールギア
２１：ギア付きスクリューリング
２２：スクリューシャフト
２４：スライドワッシャ
２６：コネクティングギア
３０：連結軸
４０：モーター
５０：サムターンリング
６０：ベース部材
６２１：係合溝
６４１：凹部
６９：化粧リング
７０：バッテリー
【図１】
0006494500.tif 000002
【図２】
0006494500.tif 000003
【図３】
0006494500.tif 000004
【図４】
0006494500.tif 000005
【図５】
0006494500.tif 000006
【図６】
0006494500.tif 000007
【図７】
0006494500.tif 000008
【図８】
0006494500.tif 000009
【図９】
0006494500.tif 000010
【図１０】
0006494500.tif 000011
【図１１】
0006494500.tif 000012
【図１２】
0006494500.tif 000013
【図１３】
0006494500.tif 000014
【図１４】
0006494500.tif 000015
【図１５】
0006494500.tif 000016